(57)【特許請求の範囲】
【請求項１】
全館温調システム（ＡＣＳ）であって、
制御対象日の気温に関する予報情報を取得する取得部（３１）と、
複数の部屋の温度調節を一括して行う運転である温調運転、の状態を制御する制御部（３３）と、を備え、
前記制御部は、
前記予報情報に基づき、前記制御対象日における気温が予め設定された快適温度範囲を外れると判定された場合には、前記制御対象日の予め定められた第１所定時刻に前記温調運転を開始させ、
前記予報情報に基づき、前記制御対象日における気温が前記快適温度範囲を外れないと判定された場合には、前記制御対象日の予め定められた第２所定時刻に前記温調運転を停止させ、
前記制御部は、
前記予報情報に基づき、前記制御対象日における最高気温と最低気温の差が、予め設定された閾値を超えると判定された場合には、
前記制御対象日における気温が前記快適温度範囲を外れないと判定された場合であっても、前記制御対象日の前記第１所定時刻に前記温調運転を開始させる全館温調システム。
【請求項２】
全館温調システム（ＡＣＳ）であって、
制御対象日の気温に関する予報情報を取得する取得部（３１）と、
複数の部屋の温度調節を一括して行う運転である温調運転、の状態を制御する制御部（３３）と、を備え、
前記制御部は、
前記予報情報に基づき、前記制御対象日における気温が予め設定された快適温度範囲を外れると判定された場合には、前記制御対象日の予め定められた第１所定時刻に前記温調運転を開始させ、
前記予報情報に基づき、前記制御対象日における気温が前記快適温度範囲を外れないと判定された場合には、前記制御対象日の予め定められた第２所定時刻に前記温調運転を停止させ、
前記制御部は、
前記予報情報に基づき、前記制御対象日における最高気温と、前記制御対象日の前日における最高気温との差の絶対値が、予め設定された閾値を超えると判定された場合には、
前記制御対象日における気温が前記快適温度範囲を外れないと判定された場合であっても、前記制御対象日の前記第１所定時刻に前記温調運転を開始させる全館温調システム。
【請求項３】
全館温調システム（ＡＣＳ）であって、
制御対象日の気温に関する予報情報を取得する取得部（３１）と、
複数の部屋の温度調節を一括して行う運転である温調運転、の状態を制御する制御部（３３）と、を備え、
前記制御部は、
前記予報情報に基づき、前記制御対象日における気温が予め設定された快適温度範囲を外れると判定された場合には、前記制御対象日の予め定められた第１所定時刻に前記温調運転を開始させ、
前記予報情報に基づき、前記制御対象日における気温が前記快適温度範囲を外れないと判定された場合には、前記制御対象日の予め定められた第２所定時刻に前記温調運転を停止させ、
前記制御部は、
前記予報情報に基づき、前記制御対象日における最低気温と、前記制御対象日の前日における最低気温との差の絶対値が、予め設定された閾値を超えると判定された場合には、
前記制御対象日における気温が前記快適温度範囲を外れないと判定された場合であっても、前記制御対象日の前記第１所定時刻に前記温調運転を開始させる全館温調システム。
【請求項４】
全館温調システム（ＡＣＳ）であって、
制御対象日の気温に関する予報情報を取得する取得部（３１）と、
複数の部屋の温度調節を一括して行う運転である温調運転、の状態を制御する制御部（３３）と、を備え、
前記制御部は、
前記予報情報に基づき、前記制御対象日における気温が予め設定された快適温度範囲を外れると判定された場合には、前記制御対象日の予め定められた第１所定時刻に前記温調運転を開始させ、
前記予報情報に基づき、前記制御対象日における気温が前記快適温度範囲を外れないと判定された場合には、前記制御対象日の予め定められた第２所定時刻に前記温調運転を停止させ、
前記制御部は、
前記予報情報に基づき、前記制御対象日における平均気温と、前記制御対象日の前日における平均気温との差の絶対値が、予め設定された閾値を超えると判定された場合には、
前記制御対象日における気温が前記快適温度範囲を外れないと判定された場合であっても、前記制御対象日の前記第１所定時刻に前記温調運転を開始させる全館温調システム。
【請求項５】
全館温調システム（ＡＣＳ）であって、
制御対象日の気温に関する予報情報を取得する取得部（３１）と、
複数の部屋の温度調節を一括して行う運転である温調運転、の状態を制御する制御部（３３）と、を備え、
前記制御部は、
前記予報情報に基づき、前記制御対象日における気温が予め設定された快適温度範囲を外れると判定された場合には、前記制御対象日の予め定められた第１所定時刻に前記温調運転を開始させ、
前記予報情報に基づき、前記制御対象日における気温が前記快適温度範囲を外れないと判定された場合には、前記制御対象日の予め定められた第２所定時刻に前記温調運転を停止させ、
前記部屋に設けられた雨戸（８２）の開閉状態を検知する雨戸検知部（８４）、を更に備え、
前記温調運転が行われているときに、前記雨戸が閉じられたことが前記雨戸検知部により検知された場合には、
前記制御部は前記温調運転を停止させる全館温調システム。
【請求項６】
前記快適温度範囲の上限値及び下限値が、使用者の操作により変更可能となっている、請求項１乃至５のいずれか１項に記載の全館温調システム。
【請求項７】
前記部屋に設けられた窓（８１）又はドア（９１）の開閉状態を検知する開閉検知部（８４，９３）と、
使用者への報知を行う報知部（３４，６０）と、を更に備えており、
前記第１所定時刻において、前記窓又はドアが開かれていることが前記開閉検知部により検知された場合には、
前記制御部は前記報知部による使用者への報知を行う、請求項１乃至５のいずれか１項に記載の全館温調システム。
【請求項８】
前記部屋に設けられた窓又はドアの開閉状態を検知する開閉検知部を更に備え、
前記窓又はドアには、前記窓又はドアを自動的に開閉させる開閉機構（８３，９４）が設けられており、
前記第１所定時刻において、前記窓又はドアが開かれていることが前記開閉検知部により検知された場合には、
前記制御部は、前記開閉機構を動作させることにより前記窓又はドアを閉じる、請求項１乃至５のいずれか１項に記載の全館温調システム。
【請求項９】
全館温調システムとは別に設けられた温調機器（１００）、の動作状態を検知する動作検知部（１１０）、を更に備え、
前記第１所定時刻において、前記温調機器が動作していることが前記動作検知部により検知された場合には、前記制御部は前記温調運転を開始させない、請求項１乃至５のいずれか１項に記載の全館温調システム。
【請求項１０】
前記温調運転を開始させるか否かについての使用者の意思を、使用者が行う操作に基づいて予め確認する確認部（３４，６０）を有しており、
前記温調運転を開始させるという使用者の意思が前記確認部によって確認された場合には、
前記制御部は、
前記温調機器が動作していても、前記第１所定時刻において全館温調システムの前記温調運転を開始させる、請求項９に記載の全館温調システム。
【請求項１１】
全館温調システムとは別に設けられた温調機器、の動作状態を検知する動作検知部、を更に備え、
前記制御部は、
前記温調運転が行われているときに、前記温調機器が動作していることが前記動作検知部により検知された場合には、前記温調運転を停止させる、請求項１乃至５のいずれか１項に記載の全館温調システム。
【請求項１２】
前記温調運転を継続させるか否かについての使用者の意思を、使用者が行う操作に基づいて予め確認する確認部（３４，６０）を有しており、
前記制御部は、
前記温調運転を継続させるという使用者の意思が前記確認部によって確認されたときには、前記温調運転を停止させずに継続させる、請求項５又は１１に記載の全館温調システム。
【発明の詳細な説明】
【技術分野】
【０００１】
本発明は、複数の部屋の温度調節を一括して行う全館温調システムに関する。
【背景技術】
【０００２】
建物において、複数の部屋の温度調節を一括して行う全館温調システムが知られている。このような全館温調システムとしては、例えば複数の部屋の空調を一括して行うものや、床暖房による温度調節を一括して行うものがある。
【０００３】
例えば、下記特許文献１に記載されている全館空調システムは、建物の各部屋用に個別の空調装置（例えば熱交換器等）が設けられるのではなく、単一の空調装置により空調された空気が建物の各部屋に分配される構成となっている。
【０００４】
尚、ここでいう「全館温調システム」は、建物の全ての部屋の温度調節を行うものである必要はない。複数の部屋の温度調節を一括して行うものであればよく、全館温調システムによる温度調節が行われない部屋が建物の一部に存在するような場合であっても、ここでいう全館温調システムに含まれる。
【０００５】
全館温調システムは、建物の略全体における温度調節を一括して行うものである。従って、基本的には使用者が行う手動操作によることなく、自動的に運転を行うように構成されることが多い。特に、空調による温度調節を行う全館温調システムの場合には、２４時間３６５日に亘って自動的に運転を行うように構成されることが多い。
【先行技術文献】
【特許文献】
【０００６】
【特許文献１】特開２００２−２５７３９９号公報
【発明の概要】
【発明が解決しようとする課題】
【０００７】
例えば、夏期と冬期との間の期間である中間期（春期及び秋期）には、比較的過ごしやすい外気温となる。従って、使用者が、温度調節のための運転を手動操作により停止させることがある。尚、「温度調節のための運転」とは、具体的には冷房運転や暖房運転である。以下、これらを総じて「温調運転」とも称する。
【０００８】
また、使用者が手動操作により温調運転を停止させたのち、気温が変化して不快な状態になると、使用者は再び手動操作を行って温調運転を再開させることがある。使用者には、このような手動操作が煩わしく感じられることが多い。
【０００９】
また、温調運転が再開される際においては、例えば空調装置の圧縮機や送風ファン等の起動に伴って、比較的大きな始動音が周囲に向けて発せられてしまう。このため、温調運転を再開させるための手動操作が深夜の時間帯に行われてしまうと、居住者のみならず近隣の住民にも迷惑がかかってしまう。
【００１０】
本発明はこのような課題に鑑みてなされたものであり、その目的は、使用者に手動操作を行わせることなく、温調運転の開始又は停止を自動的に且つ適切なタイミングで行うことのできる全館温調システムを提供することにある。
【課題を解決するための手段】
【００１１】
上記課題を解決するために、本発明に係る全館温調システムは、制御対象日の気温に関する予報情報を取得する取得部（３１）と、複数の部屋の温度調節を一括して行う運転である温調運転、の状態を制御する制御部（３３）と、を備え、制御部は、予報情報に基づき、制御対象日における気温が予め設定された快適温度範囲を外れると判定された場合には、制御対象日の予め定められた第１所定時刻に温調運転を開始させ、予報情報に基づき、制御対象日における気温が快適温度範囲を外れないと判定された場合には、制御対象日の予め定められた第２所定時刻に温調運転を停止させる。制御部は、予報情報に基づき、制御対象日における最高気温と最低気温の差が、予め設定された閾値を超えると判定された場合には、制御対象日における気温が快適温度範囲を外れないと判定された場合であっても、制御対象日の第１所定時刻に温調運転を開始させる。
【００１２】
上記のような構成の全館温調システムでは、制御対象日の気温に関する予報情報に基づいて、制御対象日における温調運転の開始又は停止が自動的に行われる。制御対象日とは、取得部による予報情報の取得が行われた日、又はその翌日以降における特定の日のことである。
【００１３】
制御部は、制御対象日における気温が予め設定された快適温度範囲を外れると判定された場合には、制御対象日の第１所定時刻に温調運転を開始させる。尚、「温調運転を開始させ」るとは、温調運転が行われていない状態から温調運転を開始させることのみならず、温調運転が行われている状態をそのまま継続させることも含む。
【００１４】
制御対象日において不快な気温となることが予測される場合には、使用者に手動操作を行わせることなく自動的に温調運転が開始される。このため、使用者に煩わしい思いをさせてしまうことが無い。
【００１５】
また、制御部が自動的に温調運転を開始させる時刻（第１所定時刻）は、一日の中の特定の時刻に固定することができる。そこで、始動音が不快なものとならないような時間帯（例えば日中）に第１所定時刻を設定しておけば、全館温調システムの始動音によって近隣住民に不快な思いをさせてしまう可能性を低減することができる。
【００１６】
制御部は、制御対象日における気温が快適温度範囲を外れないと判定された場合には、制御対象日の第２所定時刻に温調運転を停止させる。尚、「温調運転を停止させる」とは、全館温調システムの全ての構成機器の動作を停止させることに限られるものではない。例えば、空調運転のみが停止され送風運転が継続して行われる状態に移行することも、温調運転を停止させることに含まれる。つまり、「温調運転を停止させる」とは、温調運転が行われている状態よりも、構成機器の動作レベル（消費電力ともいえる）が小さい状態に移行することを意味する。
【００１７】
また、「温調運転を停止させる」とは、温調運転が行われている状態から温調運転を停止させることのみならず、温調運転が行われていない状態をそのまま継続させることも含む。
【００１８】
制御対象日において不快な気温とはならないことが予測される場合には、使用者に手動操作を行わせることなく自動的に温調運転が停止される。このため、使用者に煩わしい思いをさせてしまうことが無く、且つ無駄なエネルギー消費を防止することができる。
【００１９】
尚、自動的に温調運転が停止される時刻である第２所定時刻は、上記の第１所定時刻と同一の時刻であってもよく、異なる時刻であってもよい。
【発明の効果】
【００２０】
本発明によれば、使用者に手動操作を行わせることなく、温調運転の開始又は停止を自動的に且つ適切なタイミングで行うことのできる全館温調システムを提供することができる。
【図面の簡単な説明】
【００２１】
【図１】本発明の実施形態に係る全館温調システムが設置された建物全体の構成を示す図である。
【図２】図１の建物に設けられた、窓の構成を示す図である。
【図３】温調運転の状態が切り換えられるタイミングを説明するための図である。
【図４】予報情報により得られた気温変化と、温調運転の状態の切り換えとの関係を説明するための図である。
【図５】全館温調システムの制御部によって実行される処理を示すフローチャートである。
【図６】温調運転を開始させる際において、制御部によって実行される処理を示すフローチャートである。
【図７】図６に示されるフローチャートの変形例である。
【図８】図１の建物に設けられた、ドアの構成を示す図である。
【図９】全館温調システムの制御部によって実行される処理を示すフローチャートである。
【図１０】温調運転が行われているときにおいて、制御部によって実行される処理を示すフローチャートである。
【発明を実施するための形態】
【００２２】
以下、添付図面を参照しながら本発明の実施形態について説明する。説明の理解を容易にするため、各図面において同一の構成要素に対しては可能な限り同一の符号を付して、重複する説明は省略する。
【００２３】
本発明の実施形態に係る全館温調システムＡＣＳは、複数の部屋の温度調節（つまり暖房又は冷房）を一括して自動的に行うものである。全館温調システムＡＣＳは、それぞれの部屋の空調を行うことにより、上記の温度調節を行うシステムとして構成されている。図１では、４つの部屋Ｒ１、Ｒ２、Ｒ３、Ｒ４を有する建物ＨＳに、全館温調システムＡＣＳが設置された状態の例が模式的に示されている。
【００２４】
以下の説明においては、全館温調システムＡＣＳが各部屋（Ｒ１等）の温度調節を一括して行う運転、具体的には暖房運転及び冷房運転、を示す語として、「温調運転」の語を用いる。本実施形態のように空調によって温度調節が行われる構成においては、「温調運転」は「空調運転」と同義である。
【００２５】
建物ＨＳは、居住者（全館温調システムＡＣＳの使用者ともいえる）が生活するための空間である部屋Ｒ１、Ｒ２、Ｒ３、Ｒ４と、天井裏の空間である部屋Ｒ０と、を有している。後に説明するように、全館温調システムＡＣＳは、その構成機器の大部分が部屋Ｒ０に設置されている。全館温調システムＡＣＳは、４つの部屋Ｒ１、Ｒ２、Ｒ３、Ｒ４の空調を一括して自動的に行うものとして構成されている。全館温調システムＡＣＳは、室内ユニット１０と、室外ユニット２０と、制御装置３０と、中央制御装置４０と、を備えている。
【００２６】
室内ユニット１０は、送風機や熱交換器、エアフィルタ等（いずれも不図示）を備えたユニットであり、部屋Ｒ０に設置されている。室内ユニット１０は、熱交換器を通過した際に冷媒との熱交換によって加熱又は冷却された空気を、送風機によって各部屋（Ｒ１等）に送り込むためのものである。尚、本実施形態においては、送風機だけを動作させることにより、建物ＨＳの外部からの空気を加熱又は冷却することなく、そのまま各部屋に送るような運転、すなわち送風運転を行うことも可能となっている。
【００２７】
室内ユニット１０と部屋Ｒ１との間はダクト１１で繋がっており、室内ユニット１０と部屋Ｒ２との間はダクト１２で繋がっている。同様に、室内ユニット１０と部屋Ｒ３との間はダクト１３で繋がっており、室内ユニット１０と部屋Ｒ４との間はダクト１４で繋がっている。室内ユニット１０において加熱又は冷却された空気、又は送風されるだけの空気は、これらのダクト１１、１２、１３、１４をそれぞれ通って、部屋Ｒ１、Ｒ２、Ｒ３、Ｒ４に供給される。
【００２８】
室内ユニット１０には、導入ダクト１５と、排出ダクト１６とが接続されている。導入ダクト１５は、建物ＨＳの外側から空気（外気）を引き込み、当該空気を室内ユニット１０に供給するためのものである。導入ダクト１５を通って室内ユニット１０に供給された空気が、熱交換器により加熱されるなどした後に各部屋（Ｒ１等）に送り込まれる。
【００２９】
排出ダクト１６は、各部屋（Ｒ１等）から室内ユニット１０に戻ってきた空気を、建物ＨＳの外側に排出するためのものである。暖房運転、冷房運転、送風運転のいずれかが行われることにより、室内ユニット１０から部屋Ｒ１等に空気が送り込まれると、部屋Ｒ１等から押し出された空気が部屋Ｒ１等の外側（且つ建物ＨＳの内側）の空間を通り、室内ユニット１０に戻ってくるように構成されている。それぞれの部屋（Ｒ１等）から戻ってきた空気は、全て排出ダクト１６を通って建物ＨＳの外側に排出される。つまり、本実施形態では、部屋Ｒ１等の外側且つ建物ＨＳの内側の空間が、所謂リターンダクトとして機能するような構成となっている。
【００３０】
室外ユニット２０は、圧縮機、熱交換器、送風ファン等（いずれも不図示）を備えたユニットであり、建物ＨＳの外側に配置されている。室外ユニット２０と室内ユニット１０との間には冷媒配管２１が配置されている。冷媒配管２１は、往路と復路からなる二つの流路（不図示）を形成する一対の配管である。冷媒配管２１を冷媒が通ることにより、室外ユニット２０と室内ユニット１０の間を冷媒が循環するように構成されている。室外ユニット２０は、室内ユニット１０から排出された冷媒を外気と熱交換させたのち、当該冷媒を室内ユニット１０に戻すためのものである。
【００３１】
暖房運転時には、室外ユニット２０の熱交換器において外気の熱が集められ、これにより冷媒が加熱される。加熱された冷媒は、圧縮機によって圧縮され温度を上昇させながら室内ユニット１０の熱交換器に移動して、各部屋に送られる空気を加熱する。
【００３２】
冷房運転時には、室外ユニット２０の熱交換器において冷媒から外気に熱が放出され、これにより冷媒が冷却される。冷却された冷媒は、膨張して温度を低下させながら、室内ユニット１０の熱交換器に移動して、各部屋に送られる空気を冷却する。
【００３３】
制御装置３０は、ＣＰＵ、ＲＯＭ、ＲＡＭ、及び入出力インターフェースを備えたコンピュータシステムであり、全館温調システムＡＣＳ全体の動作を制御するものである。制御装置３０は、室内ユニット１０及び室外ユニット２０とそれぞれ通信を行い、これらによって行われる温調運転の状態を制御する。
【００３４】
具体的には、制御装置３０は、全館温調システムＡＣＳによる運転の種類を選択する。つまり、暖房運転、冷房運転、送風運転のいずれを行うかが制御装置３０によって選択される。また、制御装置３０は、室外ユニット２０から各部屋（Ｒ１等）に送り込まれる空気の温度を設定温度に一致させるような制御も行う。
【００３５】
制御装置３０は、機能的な制御ブロックとして、予報取得部３１と、時刻計測部３２と、制御部３３と、確認部３４と、を有している。予報取得部３１は、後述の気象サーバ５０から提供される予報情報を、後述の中央制御装置４０を介して取得するためのインターフェースである。取得された予報情報は制御部３３に伝達される。予報情報については後に説明する。
【００３６】
時刻計測部３２は、所謂タイマーとして機能する部分であって、現在の日時を常に計測している。計測された日時は制御部３３に伝達される。
【００３７】
制御部３３は、制御装置３０が行う制御動作を担う部分である。制御部３３は、時刻計測部３２によって計測された現在の日時、及び、予報取得部３１で取得された予報情報に基づいて、全館温調システムＡＣＳ全体の動作を制御する。
【００３８】
確認部３４は、全館温調システムＡＣＳの状態を居住者に報知するための処理や、居住者が行った操作を受け付ける処理を行うための部分である。このような報知及び居住者による操作は、パソコン６０を介して行われる。
【００３９】
パソコン６０は、建物ＨＳの居住者が全館温調システムＡＣＳに対する操作を行う際のインターフェースとなるものである。また、全館温調システムＡＣＳの状態を居住者に報知する際のインターフェースともなるものでもある。尚、図１にはパソコン６０が部屋Ｒ１に設置された例が示されているが、パソコン６０は他の部屋に設置されていてもよい。また、複数のパソコン６０がそれぞれの部屋（Ｒ１等）に設置されていてもよい。
【００４０】
パソコン６０と制御装置３０との間は、通信線６１（例えばＬＡＮケーブル）を介して接続されている。尚、パソコン６０と制御装置３０との間は無線ＬＡＮで接続されていてもよい。また、パソコン６０と制御装置３０との間に、ルーター等の通信機器が介在するような構成であってもよい。
【００４１】
気象サーバ５０は、例えば気象庁や民間の気象予測会社等が運営するサーバであって、インターネットを介して予報情報を提供するものである。予報情報とは、将来において予想される気温の変化に関する情報である。本実施形態においては、特定の日における予想最高気温、予想最低気温、及び予想平均気温からなる（つまり、３つの数値からなる）情報が、予報情報として気象サーバ５０から提供される。
【００４２】
尚、提供される予報情報の形式としてはこのようなものに限られず、別の形式であってもよい。例えば、特定の日の午前０時からの２４時間を３０分毎の小期間に分けた上で、それぞれの小期間における予想気温を示す一群の数値からなるデータが、予報情報として提供されてもよい。
【００４３】
中央制御装置４０は、建物ＨＳの外部に設置されたサーバであって、建物ＨＳを含む複数の建物に予報情報を提供するものである。中央制御装置４０は、１日のうち特定の時刻（本実施形態では午前８時）に、その日についての予報情報を気象サーバ５０から取得する。取得された予報情報は、それぞれの建物に設置された制御装置３０の予報取得部３１に向けて、中央制御装置４０から配信される。
【００４４】
尚、上記のように中央制御装置４０を経由することなく、制御装置３０が気象サーバ５０から予報情報を直接取得するような態様であってもよい。
【００４５】
建物ＨＳの部屋Ｒ４には、床暖房装置１００が設けられている。床暖房装置１００は、部屋Ｒ４の温度調節を行うための温調機器である。ただし、床暖房装置１００は全館温調システムＡＣＳの一部ではなく、全館温調システムＡＣＳとは別の温調機器として部屋Ｒ４に設置されている。
【００４６】
床暖房装置１００の近傍には、床暖房装置１００の動作状態を検知する動作検知センサ１１０が設けられている。動作検知センサ１１０は、床暖房装置１００の動作状態を示す信号を制御装置３０に送信する。当該信号により、制御装置３０は、床暖房装置１００によって部屋Ｒ４の温度調節が行われているか否かを常に判定することができる。
【００４７】
尚、床暖房装置１００は、部屋Ｒ４以外の他の部屋に設けられていてもよく、建物ＨＳにおける複数の部屋に設けられていてもよい。また、全館温調システムＡＣＳとは別の温調機器として、床暖房装置とは異なる種類の温調機器が設けられていてもよい。いずれの場合であっても、それぞれの温調機器の動作状態は個別に設けられた動作検知センサによって検知され、制御装置３０に送信される。
【００４８】
図２を参照しながら、建物ＨＳに設けられた窓８１の構成について説明する。窓８１は、ガラス戸をスライドさせることによって開閉する構成の、所謂「引違い窓」である。窓８１はそれぞれの部屋（Ｒ１等）に設けられているのであるが、一部の部屋のみに設けられている構成でもよい。窓８１が開放されると、部屋の内部空間が外気に通じた状態となる。
【００４９】
窓８１には雨戸８２が設けられている。雨戸８２は、窓８１を屋外側から覆うことにより、屋内への風雨の侵入を防ぐものである。通常時には、図２に点線で示されるように雨戸８２は解放されている。建物ＨＳの居住者が長期間に亘り外出するような際には、雨戸８２がスライドされ閉じられることにより、窓８１が雨戸８２により覆われた状態となる。
【００５０】
窓８１の上方側部分における窓枠には、開閉機構８３が設けられている。開閉機構８３は、不図示の電磁モーターの駆動力によって、窓８１を自動的に開閉させる装置である。開閉機構８３の動作は、制御装置３０によって制御される。このため、制御装置３０は、開閉機構８３に制御信号を送信することで、窓８１を開いたり閉じたりすることができる。
【００５１】
また、窓８１には開閉検知センサ８４が設けられている。開閉検知センサ８４は、窓８１の開閉状態を検知するためのセンサである。開閉検知センサ８４による検知結果を示す信号は、制御装置３０に向けて送信される。このため、制御装置３０は、現時点において窓８１が開かれた状態となっているのか、それとも閉じられた状態となっているのかを、開閉検知センサ８４からの信号によって判定することができる。
【００５２】
開閉検知センサ８４は、窓８１の開閉状態のみならず、雨戸８２の開閉状態をも検知することができる。制御装置３０は、現時点において雨戸８２が開かれた状態となっているのか、それとも閉じられた状態となっているのかについても、開閉検知センサ８４からの信号によって判定することができる。
【００５３】
尚、窓８１の開閉状態と、雨戸８２の開閉状態とは、本実施形態のように共通の開閉検知センサ８４によって検知されてもよいのであるが、個別のセンサによって検知されてもよい。つまり、雨戸８２の開閉状態を検知するためのセンサが、開閉検知センサ８４とは別に設けられていてもよい。
【００５４】
制御装置３０によって行われる制御のうち、温調運転（本実施形態では空調運転である）の状態を切り替える制御の概要について、図３及び図４を参照しながら説明する。
【００５５】
制御装置３０の予報取得部３１には、１日１回午前８時に予報情報が入力される。このとき、図３（Ａ）のように温調運転が停止しており、例えば送風運転が行われていたとすると、午前８時以降も、温調運転が停止している状態が継続される。図３（Ｂ）のように温調運転が行われていたとすると、午前８時以降も温調運転が継続される。
【００５６】
午前８時に予報情報が入力された後、制御装置３０の制御部３３では、予報情報に含まれる予想最高気温、予想最低気温等に基づき、その日（つまり、予報情報の入力が行われた日）の予想気温が人体にとって快適かどうかが判定される。
【００５７】
その日の予想気温が快適でないと判定された場合には、図３（Ａ）に示されるように、予め定められた時刻（第１所定時刻）である午前９時に温調運転を開始させる。尚、既に温調運転が行われていた場合には、午前９時以降も温調運転を継続させる。
【００５８】
その日の予想気温が快適であると判定された場合には、図３（Ｂ）に示されるように、予め定められた時刻（第２所定時刻）である午前９時に温調運転を停止させ、以降は温調運転が停止している状態を継続させる。このとき、図３（Ｂ）のように送風運転が行われてもよい。尚、既に温調運転が停止していた場合には、午前９時以降も停止している状態を継続させる。
【００５９】
本実施形態では、図４に示されたグラフＧ１のように、快適な温度範囲の上限である２６℃よりも予想最高気温が高い場合には、その日の予想気温が人体にとって快適でないと判定される。また、図４に示されたグラフＧ２のように、快適な温度範囲の下限である１０℃よりも予想最低気温が低い場合にも、その日の予想気温が人体にとって快適でないと判定される。一方、図４に示されたグラフＧ３のように、予想最高気温が２６℃以下であり、且つ予想最低気温が１０℃以上である場合には、その日の予想気温が人体にとって快適であると判定される。
【００６０】
尚、上記における快適な温度範囲（１０℃以上２６℃以下）は一例に過ぎない。使用者の好みや建物ＨＳの場所等により、快適な温度範囲の上限及び下限は適宜変更されてもよい。また、上限及び下限を使用者が適宜変更することができるように、温度範囲の設定変更を行うためのインターフェースが備えられてもよい。
【００６１】
このようなインターフェースとして、例えば、パソコン６０にダイアログボックスを表示させればよい。居住者が当該ダイアログボックスに数値を入力することで、快適な温度範囲の上限及び下限が変更されることとすればよい。
【００６２】
温調調運転を開始させる時刻は、午前９時以外の時刻であってもよい。ただし、温調調運転の開始時においては、室外ユニット２０が有する圧縮機や送風ファンの起動に伴って、比較的大きな始動音が周囲に向けて発せられてしまう。このため、温調運転の開始が深夜の時間帯に行われてしまうと、居住者のみならず近隣の住民にも迷惑がかかってしまう。このため、温調運転を開始させる時刻は、始動音が不快なものとならないような時間帯（日中）に設定されることが望ましい。
【００６３】
図５を参照しながら、上記制御についてより具体的に説明する。図５に示されるのは、制御部３３により行われる一連の処理の流れを示すフローチャートである。
【００６４】
最初のステップＳ０１では、時刻計測部３２により計測された現在の時刻が、予報取得時刻であるか否かが判定される。予報取得時刻とは、中央制御装置４０から予報情報が配信される時刻として予め設定されている時刻である。既に述べたように、本実施形態における予報取得時刻は午前８時に設定されている。現在の時刻が予報取得時刻又はそれ以降になると、ステップＳ０２に移行する。現在の時刻が予報取得時刻よりも前であれば、予報取得時刻となるまでステップＳ０１の処理が繰り返される。
【００６５】
ステップＳ０２では、予報取得部３１から中央制御装置４０にリクエストが送信され、当該リクエストに応じて中央制御装置４０から予報取得部３１に予報情報が入力される。予報情報は、制御装置３０が備える記憶装置（不図示）に読み込まれる。既に述べたように、予報情報は、その日の予想最高気温、予想最低気温、及び予想平均気温を含む情報である。予報情報の対象となっている日（つまり、上記における「その日」）のことを、以下では「制御対象日」とも称する。
【００６６】
本実施形態では、予報取得部３１に予報情報が入力される日と、制御対象日とが同一となっている。このような態様に替えて、制御対象日よりも前の日において、予報情報の入力が行われてもよい。
【００６７】
ステップＳ０２に続くステップＳ０３では、ステップＳ０２で取得された予想最高気温及び予想最低気温が、いずれも１０℃以上２６℃以下の範囲であるか否かが判定される。つまり、制御対象日における気温が、常に快適な温度範囲内で変動するか否かが判定される。予想最高気温が２６℃を超えていた場合、又は予想最低気温が１０℃未満であった場合には、ステップＳ０４に移行する。
【００６８】
ステップＳ０４では、時刻計測部３２により計測された現在の時刻が、第１所定時刻であるか否かが判定される。第１所定時刻とは、温調運転を開始させる時刻として予め設定されている時刻である。既に述べたように、本実施形態における第１所定時刻は午前９時に設定されている。現在の時刻が第１所定時刻又はそれ以降になると、ステップＳ０５に移行する。現在の時刻が第１所定時刻よりも前であれば、第１所定時刻となるまでステップＳ０４の処理が繰り返される。
【００６９】
ステップＳ０５に移行したときには、制御対象日の気温が快適な温度範囲を外れることが予想され、且つ午前９時を過ぎた直後となっている。ステップＳ０５では、温調運転を開始するための処理が行われる。当該処理の具体的な内容については後に説明する。外気温が快適な温度範囲を外れても、温調運転によって建物ＨＳの内部の気温は快適な温度に保たれる。
【００７０】
ステップＳ０３において、予想最高気温が２６℃以下であり、且つ予想最低気温が１０℃以上である場合には、ステップＳ０６に移行する。
【００７１】
ステップＳ０６では、時刻計測部３２により計測された現在の時刻が、第２所定時刻であるか否かが判定される。第２所定時刻とは、温調運転を停止させる時刻として予め設定されている時刻である。既に述べたように、本実施形態における第２所定時刻は、第１所定時刻と同一の午前９時に設定されている。現在の時刻が第２所定時刻又はそれ以降になると、ステップＳ０７に移行する。現在の時刻が第２所定時刻よりも前であれば、第２所定時刻となるまでステップＳ０６の処理が繰り返される。
【００７２】
ステップＳ０７に移行したときには、制御対象日の気温が常に快適な温度範囲内であることが予想され、且つ午前９時を過ぎた直後となっている。このため、ステップＳ０７では温調運転が停止される。外気温が快適な温度範囲を外れないため、温調運転が行われなくても建物ＨＳの内部の気温は快適な温度に保たれる。
【００７３】
以上のように、本実施形態に係る全館温調システムＡＣＳでは、制御対象日の気温に関する予報情報に基づいて、制御対象日における温調運転の開始又は停止が自動的に行われる。制御装置３０は、制御対象日における気温が予め設定された快適温度範囲（１０℃以上２６℃以下の範囲）を外れると判定された場合には、制御対象日の午前９時に温調運転を自動的に開始させる。このため、使用者に煩わしい思いをさせてしまうことが無い。
【００７４】
制御装置３０は、制御対象日における気温が快適温度範囲を外れないと判定された場合には、制御対象日の午前９時に温調運転を自動的に停止させる。このため、使用者に煩わしい思いをさせてしまうことが無く、且つ無駄なエネルギー消費を防止することができる。尚、自動的に温調運転が停止される時刻である第２所定時刻は、本実施形態のように第１所定時刻と同一の時刻であってもよく、異なる時刻であってもよい。
【００７５】
図５のステップＳ０５で行われる処理、つまり、温調運転を開始するために行われる処理の具体的な内容について、図６を参照しながら説明する。以下に説明するように、本実施形態においては、第１所定時刻となったときに無条件で温調運転が開始されるのではなく、窓８１の状態等を判定した後に温調運転が開始される構成となっている。状況によっては、温調運転が開始されない場合もある。尚、現在の時刻が第１所定時刻となったときに、図６に示される一連の処理を行うことなく、温調運転が無条件に開始される態様であってもよい。
【００７６】
最初のステップＳ２１では、開閉検知センサ８４からの信号に基づいて、窓８１が閉じているかどうかの判定が行われる。窓８１が開いていると判定された場合には、ステップＳ２２に移行する。
【００７７】
ステップＳ２２では、確認部３４からパソコン６０に信号が伝達され、これによりパソコン６０に確認メッセージが表示される。確認メッセージとは、パソコン６０のディスプレイに表示される文言であって、窓８１が開いていることを居住者に報知するためのものである。これに加えて、温調運転を自動的に開始するかどうかについての居住者の意思を、居住者に確認するための操作部も、パソコン６０のディスプレイに表示される。このような文言及び操作部はダイアログボックスとして表示される。
【００７８】
もし、窓８１が開かれている状態で温調運転が開始されてしまうと、窓８１が設けられている部屋の温度調節がうまくいかない可能性がある。このため、ステップＳ２２では、居住者の意思を確認するための処理が上記のように行われる。
【００７９】
例えば、上記ダイアログボックスには、居住者に対するメッセージとして「窓が開いています。温調運転を開始しますか？」という文言が表示されるとともに、操作部として「ＯＫボタン」の画像と「ＮＧボタン」の画像とが表示される。ＯＫボタンは、温調運転を開始してほしい場合に居住者が押す（クリックする）ボタンである。ＮＧボタンは、温調運転を開始してほしくない場合、又は温調運転を停止してほしい場合に居住者が押す（クリックする）ボタンである。
【００８０】
ステップＳ２２に続くステップＳ２３では、居住者による操作部の操作が一定時間内に行われたかどうかが判定される。「一定時間」とは、例えば３０分間である。居住者によって操作部の操作がなされた場合、すなわち、ＯＫボタン又はＮＧボタンのいずれかが一定時間内に押された場合には、ダイアログボックスの表示をディスプレイから消去するとともにステップＳ２４に移行する。
【００８１】
ステップＳ２４では、ＯＫボタン又はＮＧボタンのどちらが押されたかが判定される。ＯＫボタンが押された場合、すなわち、「温調運転を開始してほしい」という居住者の意思が確認された場合には、ステップＳ２５に移行する。
【００８２】
ステップＳ２４においてＮＧボタンが押された場合、すなわち、「温調運転を開始してほしくない、又は温調運転を停止してほしい」という居住者の意思が確認された場合には、ステップＳ３０に移行する。ステップＳ３０では、温調運転が停止される。尚、温調運転が既に停止されている状態であれば、ステップＳ３０では何ら処理が行われず、そのときの状態が維持される。
【００８３】
ステップＳ２３において、居住者による操作部の操作が一定時間内に行われなかった場合には、ダイアログボックスの表示をディスプレイから消去するとともにステップＳ３０に移行する。つまり、ステップＳ２４においてＮＧボタンが押されていた場合と同じ処理が行われる。
【００８４】
ステップＳ２１において窓８１が閉じていると判定された場合、又は、ステップＳ２４においてＯＫボタンが押されていた場合には、ステップＳ２５に移行する。ステップＳ２５では、動作検知センサ１１０からの信号に基づいて、全館温調システムＡＣＳとは別の温調機器（つまり床暖房装置１００）が停止しているか否かについての判定が行われる。床暖房装置１００が動作しており、これにより部屋Ｒ４の温度調整が既に行われていると判定された場合には、ステップＳ２６に移行する。
【００８５】
ステップＳ２６では、確認部３４からパソコン６０に信号が伝達され、これによりパソコン６０に確認メッセージが表示される。この場合の確認メッセージは、全館温調システムＡＣＳとは別の温調機器が動作中であることを居住者に報知するためのものである。これに加えて、温調運転を自動的に開始するかどうかについての居住者の意思を、居住者に確認するための操作部も、パソコン６０のディスプレイに表示される。このような文言及び操作部はダイアログボックスとして表示される。
【００８６】
もし、床暖房装置１００が動作している状態で、全館温調システムＡＣＳによる温調運転が開始されてしまうと、エネルギーが無駄に消費されてしまうこととなる。そこで、ステップＳ２６では、居住者の意思を確認するための処理が上記のように行われる。
【００８７】
例えば、上記ダイアログボックスには、居住者に対するメッセージとして「床暖房装置による暖房が行われています。温調運転を開始しますか？」という文言が表示されるとともに、操作部として「ＯＫボタン」の画像と「ＮＧボタン」の画像とが表示される。ＯＫボタンは、温調運転を開始してほしい場合に居住者が押す（クリックする）ボタンである。ＮＧボタンは、温調運転を開始してほしくない場合、又は温調運転を停止してほしい場合に居住者が押す（クリックする）ボタンである。
【００８８】
ステップＳ２６に続くステップＳ２７では、居住者による操作部の操作が一定時間内に行われたかどうかが判定される。「一定時間」とは、例えば３０分間である。居住者によって操作部の操作がなされた場合、すなわち、ＯＫボタン又はＮＧボタンのいずれかが一定時間内に押された場合には、ダイアログボックスの表示をディスプレイから消去するとともにステップＳ２８に移行する。
【００８９】
ステップＳ２８では、ＯＫボタン又はＮＧボタンのどちらが押されたかが判定される。ＯＫボタンが押された場合、すなわち、「温調運転を開始してほしい」という居住者の意思が確認された場合には、ステップＳ２９に移行する。ステップＳ２９では、全館温調システムＡＣＳによる温調運転が直ちに開始される。
【００９０】
ステップＳ２８においてＮＧボタンが押された場合、すなわち、「温調運転を開始してほしくない、又は温調運転を停止してほしい」という居住者の意思が確認された場合には、ステップＳ３０に移行する。既に述べたように、ステップＳ３０では温調運転が停止されるか、停止している状態が維持される。
【００９１】
ステップＳ２７において、居住者による操作部の操作が一定時間内に行われなかった場合には、ダイアログボックスの表示をディスプレイから消去するとともにステップＳ３０に移行する。つまり、ステップＳ２８においてＮＧボタンが押されていた場合と同じ処理が行われる。
【００９２】
ステップＳ２５において、床暖房装置１００が停止していると判定された場合には、ステップＳ２９に移行する。既に述べたように、ステップＳ２９では、全館温調システムＡＣＳによる温調運転が直ちに開始される。
【００９３】
以上のように、本実施形態では、外気に通じる窓８１が開いている場合や、全館温調システムＡＣＳとは別の温調機器が動作中である場合には、現在の時刻が第１所定時刻となっても温調運転が開始されない。これにより、窓８１が空いたまま温調運転が行われてしまうことや、不要な温調運転が行われてしまうことが防止される。
【００９４】
尚、ステップＳ２１において窓８１が開いていた場合には、ステップＳ２２における確認メッセージの表示などが行われることなく、直ちにステップＳ３０の処理が行われる態様であってもよい。同様に、ステップＳ２５において他の温調機器が動作していた場合には、ステップＳ２６における確認メッセージの表示などが行われることなく、直ちにステップＳ３０の処理が行われる態様であってもよい。しかしながら、本実施形態のように、居住者の意思を確認する処理を経た後にステップＳ３０の処理が行われる態様であれば、居住者の意思に沿った処理が確実に行われることとなるので、より好ましい。
【００９５】
建物ＨＳに設置されている温調機器が床暖房装置１００だけではなく、建物ＨＳに複数の温調機器が設置されていることも考えられる。この場合には、これら複数の温調機器に優先順位を設定しておき、優先順位の高いものが動作している場合にのみ、ステップＳ２６以降の処理が行われることとしてもよい。優先順位は、予め居住者がパソコン６０に対し行う操作によって設定されていることが望ましい。
【００９６】
図６に示される処理の変形例について、図７を参照しながら説明する。最初のステップＳ２１０では、開閉検知センサ８４からの信号に基づいて、窓８１が閉じているかどうかの判定が行われる。窓８１が開いていると判定された場合には、ステップＳ２１１に移行する。ステップＳ２１１では、制御装置３０が開閉機構８３を制御することにより、窓８１が閉じられる。
【００９７】
ステップＳ２１０において窓８１が閉じていると判定された場合、又は、ステップＳ２１１の処理が完了した後は、ステップＳ２１２に移行する。ステップＳ２１２では、全館温調システムＡＣＳによる温調運転が開始される。
【００９８】
このように、上記変形例では、外気に通じる窓８１が開いていることが検知されると、窓８１が自動的に閉じられた後に温調運転が再開される。これにより、窓８１が開いている状態で温調運転が行われてしまうことが防止される。
【００９９】
本実施形態においては、外気に通じる窓８１の開閉状態に基づいて、図６のステップＳ２１における判定、及び図７のステップＳ２１０における判定が行われる。このような態様に替えて、又はこのような態様に加えて、各部屋（Ｒ１等）に設けられたドア９１の開閉状態に基づく判定が行われてもよい。
【０１００】
このようなドア９１の構成例について、図８を参照しながら説明する。ドア９１は、居住者がドアノブ９２を把持して操作することによって開閉する構成の、所謂「片開き」のドアである。ドア９１が開放されると、部屋の内部空間が廊下に通じた状態となる。
【０１０１】
ドア９１のヒンジ部分には、開閉機構９４が設けられている。開閉機構９４は、不図示の電磁モーターの駆動力によって、ドア９１を自動的に開閉させる装置である。開閉機構９４の動作は、制御装置３０によって制御される。このため、制御装置３０は、開閉機構９４に制御信号を送信することで、ドア９１を開いたり閉じたりすることができる。
【０１０２】
また、ドア９１には開閉検知センサ９３が設けられている。開閉検知センサ９３は、ドア９１の開閉状態を検知するためのセンサである。開閉検知センサ９３による検知結果を示す信号は、制御装置３０に向けて送信される。このため、制御装置３０は、現時点においてドア９１が開かれた状態となっているのか、それとも閉じられた状態となっているのかを、開閉検知センサ９３からの信号によって判定することができる。
【０１０３】
図６のステップＳ２１では、開閉検知センサ９３からの信号に基づいて、ドア９１が閉じているかどうかの判定が行われることとしてもよい。ドア９１が開いている時には、ステップＳ２２以降の処理が行われる。同様に、図７のステップＳ２１０では、開閉検知センサ９３からの信号に基づいて、ドア９１が閉じているかどうかの判定が行われることとしてもよい。ドア９１が開いている場合には、制御装置３０が開閉機構９４を制御することにより、ドア９１が閉じられる。いずれの態様においても、これまでに説明したものと同様の効果を奏する。
【０１０４】
ところで、制御対象日における気温が快適温度範囲を外れない場合であっても、気温の変動の仕方によっては人体に不快と感じられる場合がある。例えば、制御対象日における気温の変動幅が比較的大きい場合や、前日からの温度変化が比較的大きい場合には、気温が快適温度範囲を外れなくても不快と感じられることが多い。このため、上記のように温度が大きく変化することが予想されるときには、温調調運転が開始された方が望ましい。
【０１０５】
そこで、図５のうちステップＳ０６からステップＳ０７までの処理に替えて、図９に示される処理が行われてもよい。図９に示されるフローチャートは、制御対象日の予想最高気温が２６℃以下であり、且つ制御対象日の予想最低気温が１０℃以上である場合（つまり、制御対象日の気温が快適温度を外れないと予想される場合）において、図５のステップＳ０３に続いて行われる処理である。
【０１０６】
最初のステップＳ１１では、制御対象日の気温変化（具体的には変動幅の大きさ）が、所定の第１閾値以上かどうかが判定される。つまり、予報情報に含まれる予想最高気温と予想最低気温との差（図４のΔＴ）が、第１閾値以上かどうかが判定される。本実施形態では、第１閾値として１３℃が設定されている。予想最高気温と予想最低気温との差が１３℃以上であると判定された場合には、ステップＳ１２に移行する。
【０１０７】
ステップＳ１２では、時刻計測部３２により計測された現在の時刻が、第１所定時刻（午前９時）であるか否かが判定される。現在の時刻が第１所定時刻又はそれ以降になると、ステップＳ１３に移行する。現在の時刻が第１所定時刻よりも前であれば、第１所定時刻となるまでステップＳ１２の処理が繰り返される。
【０１０８】
ステップＳ１３に移行したときには、制御対象日の気温が快適温度範囲内で大きく変動することが予想され、且つ午前９時を過ぎた直後となっている。このため、ステップＳ１３では、温調運転を開始するための処理が行われる。当該処理は、図６や図７を参照しながら説明した処理と同一である。温調運転により、建物ＨＳ内の気温が大きく変動することが抑制されるため、使用者が不快と感じてしまうことが防止される。
【０１０９】
特に、快適な温度範囲の上限（２６℃）や下限（１０℃）の設定を使用者が自由に変更しうるような構成においては、上限と下限の範囲が広めに設定される場合がある。この場合、外気温が急激に変化することが予想されても、図５に示されるような処理では午前９時に温調運転が停止されてしまうことになる。これに対し、図９に示される処理では、建物ＨＳ内における急激な温度変化を温調運転により抑制することができる。
【０１１０】
ステップＳ１１において、予想最高気温と予想最低気温との差が１３℃未満であると判定された場合には、ステップＳ１４に移行する。
【０１１１】
ステップＳ１４では、制御対象日の前日からの気温変化が、所定の第２閾値以上かどうかが判定される。「制御対象日の前日からの気温変化」とは、制御対象日の予想最高気温と、制御対象日の前日の最高気温との差の絶対値のことである。本実施形態では、第２閾値として５℃が設定されている。制御対象日の前日からの気温変化が５℃以上であると判定された場合には、ステップＳ１２に移行する。以降は、既に説明したように、午前９時になってから温調運転が開始される。温調運転が行われることにより、建物ＨＳ内の気温が前日から大きく変化することが抑制されるため、使用者が不快と感じてしまうことが防止される。
【０１１２】
ステップＳ１４において、制御対象日の前日からの気温変化が５℃未満であると判定された場合には、ステップＳ１５に移行する。ステップＳ１５では、時刻計測部３２により計測された現在の時刻が、第２所定時刻（午前９時）であるか否かが判定される。現在の時刻が第２所定時刻又はそれ以降になると、ステップＳ１６に移行する。現在の時刻が第２所定時刻よりも前であれば、第２所定時刻となるまでステップＳ１５の処理が繰り返される。
【０１１３】
ステップＳ１６に移行したときには、制御対象日の前日からの気温変化が比較的小さいことが予想され、且つ午前９時を過ぎた直後となっている。このため、ステップＳ１６では温調運転が停止される。外気温が前日から大きくは変化しないため、温調運転が行われなくても建物ＨＳの内部の気温は快適な温度に保たれる。
【０１１４】
以上の例では、制御対象日の予想最高気温と、制御対象日の前日の最高気温との差の絶対値を「制御対象日の前日からの気温変化」とし、ステップＳ１４では当該絶対値を第２閾値と比較している。これに換えて、制御対象日の予想最低気温と、制御対象日の前日の最低気温との差の絶対値を「制御対象日の前日からの気温変化」としてもよい。また、制御対象日の予想平均気温と、制御対象日の前日の平均気温との差の絶対値を「制御対象日の前日からの気温変化」としてもよい。
【０１１５】
全館温調システムＡＣＳによる温調運転が行われているときに、制御部３３により実行される処理について、図１０を参照しながら説明する。図１０に示される一連の処理は、温調運転が行われている間において、所定の周期が経過する毎に繰り返し実行されている。
【０１１６】
最初のステップＳ３１では、開閉検知センサ８４からの信号に基づいて、雨戸８２が開いているかどうかの判定が行われる。雨戸８２が閉じていると判定された場合には、ステップＳ３２に移行する。
【０１１７】
ステップＳ３２では、確認部３４からパソコン６０に信号が伝達され、これによりパソコン６０に確認メッセージが表示される。この場合の確認メッセージは、雨戸８２が閉じていることを居住者に報知するためのものである。これに加えて、温調運転を停止するかどうかについての居住者の意思を、居住者に確認するための操作部も、パソコン６０のディスプレイに表示される。このような文言及び操作部はダイアログボックスとして表示される。
【０１１８】
雨戸８２が閉じているということは、居住者が長期間に亘り外出し、建物ＨＳに人がいなくなってしまう可能性が高いということである。つまり、その後も温調運転が継続して行われると、不要な温調運転のためにエネルギーが無駄に消費されてしまう可能性が高いということである。そこで、ステップＳ３２では、居住者の意思をあらためて確認するための処理が行われる。
【０１１９】
例えば、上記ダイアログボックスには、居住者に対するメッセージとして「雨戸が閉じられました。温調運転を停止しますか？」という文言が表示されるとともに、操作部として「ＯＫボタン」の画像と「ＮＧボタン」の画像とが表示される。ＯＫボタンは、温調運転を停止してほしい場合に居住者が押す（クリックする）ボタンである。ＮＧボタンは、温調運転を停止してほしくない場合に居住者が押す（クリックする）ボタンである。
【０１２０】
ステップＳ３２に続くステップＳ３３では、居住者による操作部の操作が一定時間内に行われたかどうかが判定される。「一定時間」とは、例えば３０分間である。居住者によって操作部の操作がなされた場合、すなわち、ＯＫボタン又はＮＧボタンのいずれかが一定時間内に押された場合には、ダイアログボックスの表示をディスプレイから消去するとともにステップＳ３４に移行する。
【０１２１】
ステップＳ３４では、ＯＫボタン又はＮＧボタンのどちらが押されたかが判定される。ＮＧボタンが押された場合、すなわち、「温調運転を停止せずに継続してほしい」という居住者の意思が確認された場合には、ステップＳ３５に移行する。
【０１２２】
ステップＳ３４においてＯＫボタンが押された場合、すなわち、「温調運転を停止してほしい」という居住者の意思が確認された場合には、ステップＳ４０に移行する。ステップＳ４０では、全館温調システムＡＣＳによる温調運転が直ちに停止される。
【０１２３】
ステップＳ３３において、居住者による操作部の操作が一定時間内に行われなかった場合には、ダイアログボックスの表示をディスプレイから消去するとともにステップＳ４０に移行する。つまり、ステップＳ３４においてＯＫボタンが押されていた場合と同じ処理が行われる。これにより、全館温調システムＡＣＳによる温調運転が直ちに停止される。
【０１２４】
ステップＳ３１において雨戸８２が開いていると判定された場合、又は、ステップＳ３４においてＮＧボタンが押されていた場合には、ステップＳ３５に移行する。ステップＳ３５では、動作検知センサ１１０からの信号に基づいて、全館温調システムＡＣＳとは別の温調機器（つまり床暖房装置１００）が停止しているか否かについての判定が行われる。床暖房装置１００が動作しており、これにより部屋Ｒ４の温度調整が既に行われていると判定された場合には、ステップＳ３６に移行する。
【０１２５】
ステップＳ３６では、確認部３４からパソコン６０に信号が伝達され、これによりパソコン６０に確認メッセージが表示される。この場合の確認メッセージは、全館温調システムＡＣＳとは別の温調機器が動作中であることを居住者に報知するためのものである。これに加えて、全館温調システムＡＣＳによる温調運転を停止するかどうかについての居住者の意思を、居住者に確認するための操作部も、パソコン６０のディスプレイに表示される。このような文言及び操作部はダイアログボックスとして表示される。
【０１２６】
全館温調システムＡＣＳとは別の温調機器が動作中であるということは、部屋Ｒ４における温度調節が、全館温調システムＡＣＳと床暖房装置１００の両方によって行われており、エネルギーが無駄に消費されているということである。そこで、ステップＳ３６では、居住者の意思を再度確認するための処理が行われる。
【０１２７】
例えば、上記ダイアログボックスには、居住者に対するメッセージとして「床暖房装置による暖房が行われています。温調運転を停止しますか？」という文言が表示されるとともに、操作部として「ＯＫボタン」の画像と「ＮＧボタン」の画像とが表示される。ＯＫボタンは、温調運転を停止してほしい場合に居住者が押す（クリックする）ボタンである。ＮＧボタンは、温調運転を停止してほしくない場合に居住者が押す（クリックする）ボタンである。
【０１２８】
ステップＳ３６に続くステップＳ３７では、居住者による操作部の操作が一定時間内に行われたかどうかが判定される。「一定時間」とは、例えば３０分間である。居住者によって操作部の操作がなされた場合、すなわち、ＯＫボタン又はＮＧボタンのいずれかが一定時間内に押された場合には、ダイアログボックスの表示をディスプレイから消去するとともにステップＳ３８に移行する。
【０１２９】
ステップＳ３８では、ＯＫボタン又はＮＧボタンのどちらが押されたかが判定される。ＮＧボタンが押された場合、すなわち、「温調運転を停止せずに継続してほしい」という居住者の意思が確認された場合には、ステップＳ３９に移行する。ステップＳ３９では、全館温調システムＡＣＳによる温調運転が継続される。
【０１３０】
ステップＳ３８においてＯＫボタンが押された場合、すなわち、「温調運転を停止してほしい」という居住者の意思が確認された場合には、ステップＳ４０に移行する。既に述べたように、ステップＳ４０では、全館温調システムＡＣＳによる温調運転が直ちに停止される。
【０１３１】
ステップＳ３７において、居住者による操作部の操作が一定時間内に行われなかった場合には、ダイアログボックスの表示をディスプレイから消去するとともにステップＳ４０に移行する。つまり、ステップＳ３８においてＯＫボタンが押されていた場合と同じ処理が行われる。これにより、全館温調システムＡＣＳによる温調運転が直ちに停止される。
【０１３２】
ステップＳ３５において、床暖房装置１００が停止していると判定された場合には、ステップＳ３９に移行する。既に述べたように、ステップＳ３９では、全館温調システムＡＣＳによる温調運転が継続される。
【０１３３】
以上のように、本実施形態では、雨戸８２が閉じられた場合や、全館温調システムＡＣＳとは別の温調機器が動作中である場合には、全館温調システムＡＣＳによる温調運転が停止される。これにより、建物ＨＳに人がいないときにおいて温調運転が行われてしまう等、不要な温調運転が行われてしまうことが防止される。
【０１３４】
尚、ステップＳ３１において雨戸８２が閉じられていた場合には、ステップＳ３２における確認メッセージの表示などが行われることなく、直ちにステップＳ４０の処理が行われる態様であってもよい。同様に、ステップＳ３５において他の温調機器が動作していた場合には、ステップＳ３６における確認メッセージの表示などが行われることなく、直ちにステップＳ４０の処理が行われる態様であってもよい。しかしながら、本実施形態のように、居住者の意思を確認する処理を経た後にステップＳ４０の処理が行われる態様であれば、居住者の意思に沿った処理が確実に行われることとなるので、より好ましい。
【０１３５】
建物ＨＳに設置されている温調機器が床暖房装置１００だけではなく、建物ＨＳに複数の温調機器が設置されていることも考えられる。この場合には、これら複数の温調機器に優先順位を設定しておき、優先順位の高いものが動作している場合にのみ、ステップＳ３６以降の処理が行われることとしてもよい。優先順位は、予め居住者がパソコン６０に対し行う操作によって設定されていることが望ましい。
【０１３６】
本実施形態では、雨戸８２が閉じられたことが開閉検知センサ８４により検知されたことを以って、居住者が外出するとの推定がなされる。このような態様に替えて、居住者の外出予定が居住者によって予め設定されるような態様であってもよい。具体的には居住者がパソコン６０を操作することにより、外出予定期間を入力するような態様であってもよい。この場合、現在の日時が外出予定期間となったときにステップＳ３２以降の処理が行われ、全館温調システムＡＣＳによる温調運転が停止されることとなる。
【０１３７】
本実施形態に係る全館温調システムＡＣＳは、暖房運転及び冷房運転の両方を行うことが可能なシステムとして構成されている。このような態様に替えて、暖房運転又は冷房運転のいずれか一方のみを行うシステムとして構成されていてもよい。例えば、空調によって冷房運転のみが行われるようなシステムとして構成されていてもよい。
【０１３８】
また、床暖房装置による暖房運転のみが行われるシステムとして構成されていてもよい。このような構成の例としては、全ての部屋に床暖房装置が設けられており、それぞれの床暖房装置の動作が一括して制御装置３０により制御されるような構成が挙げられる。
【０１３９】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【０１４０】
ＡＣＳ：全館温調システム
３０：制御装置
３１：予報取得部
３２：時刻計測部
３３：制御部
４０：中央制御装置
５０：気象サーバ
【図１】
0006502820.tif 000002
【図２】
0006502820.tif 000003
【図３】
0006502820.tif 000004
【図４】
0006502820.tif 000005
【図５】
0006502820.tif 000006
【図６】
0006502820.tif 000007
【図７】
0006502820.tif 000008
【図８】
0006502820.tif 000009
【図９】
0006502820.tif 000010
【図１０】
0006502820.tif 000011